【手続補正書】
【提出日】令和2年10月27日(2020.10.27)
【手続補正１】
【補正対象書類名】特許請求の範囲
【補正対象項目名】全文
【補正方法】変更
【補正の内容】
【特許請求の範囲】
【請求項１】
医療処置の実行時に使用するための医療装置を選択するための方法であって、
患者の身体の、対象となる解剖学的領域に関する画像データを取得するステップと、
取得された前記画像データを使用して、前記対象となる解剖学的領域の多次元描写を生成するステップと、
前記多次元描写に対して複数の点を規定するステップであって、前記複数の点の少なくとも１つが前記患者の身体の解剖学的構造の重心に対応するステップと、
規定された前記複数の点に基づいて、１つ以上の測定値を決定するステップと、
決定された前記測定値に基づいて、使用すべき医療装置を選択するステップとを含む、方法。
【請求項２】
前記医療処置は、前記患者の心臓の左心耳（ＬＡＡ）に関わる処置であり、前記医療装置は、前記患者の心臓の前記ＬＡＡにＬＡＡ閉塞装置を送達するために使用されるカテーテルである、請求項１に記載の方法。
【請求項３】
前記規定するステップで規定された前記複数の点は、
前記ＬＡＡの真の口を含む前記真の口の平面内の点であって、前記ＬＡＡの前記真の口の重心に対応する点、
前記真の口の平面の複製であって前記真の口の平面から偏位している偏位した真の口の平面内の点であって、前記真の口の平面内の点から偏位し、前記ＬＡＡの前記真の口の重心に対応する点、
前記患者の心臓の卵円窩を含む卵円窩平面内の点であって、前記卵円窩の重心に対応する点、または、
前記患者の心臓の下大静脈（ＩＶＣ）口を含むＩＶＣ口の平面内の点であって、前記ＩＶＣ口の重心に対応する点、
という個々の点のうちの２つ以上を含む、請求項２に記載の方法。
【請求項４】
前記決定するステップで決定された前記測定値は、
前記ＩＶＣ口の重心に対応する前記ＩＶＣ口の平面内の前記点と前記卵円窩の重心に対応する前記卵円窩平面内の前記点との間の距離、
前記卵円窩の重心に対応する前記卵円窩平面内の前記点と前記ＬＡＡの前記真の口の重心に対応する前記真の口の平面内の前記点との間の距離、
前記ＩＶＣ口の重心に対応する前記ＩＶＣ口の平面内の前記点と、前記卵円窩の重心に対応する前記卵円窩平面内の前記点と、前記ＬＡＡの前記真の口の重心に対応する前記真の口の平面内の前記点とによって規定される角度であって、前記卵円窩の重心に対応する前記卵円窩平面内の前記点が角度の頂点となる角度、または
前記卵円窩の重心に対応する前記卵円窩平面内の前記点と、前記ＬＡＡの前記真の口の重心に対応する前記真の口の平面内の前記点と、前記ＬＡＡの前記真の口の重心に対応する前記偏位した真の口の平面内の前記点とによって規定される角度であって、前記ＬＡＡの前記真の口の重心に対応する前記真の口の平面内の前記点が角度の頂点となる角度、
のうちの少なくとも１つを含む、請求項３に記載の方法。
【請求項５】
前記測定値は、第１の平面と第２の平面との間の距離をさらに含み、前記第１の平面は、前記患者の心臓の僧帽弁輪を含む平面の複製であって前記平面から偏位しており、かつ、前記ＬＡＡの前記真の口の重心に対応する前記真の口の平面内の前記点と整列されており、前記第２の平面は、前記僧帽弁輪を含む前記平面の複製であって前記平面から偏位しており、かつ、前記卵円窩の重心に対応する前記卵円窩平面内の前記点と整列されている、請求項４に記載の方法。
【請求項６】
前記描写において、心房中隔に沿った挿入点を識別するステップと、
前記医療処置の実行中に前記心房中隔を通過する医療装置を表わすモデルを選択するステップと、
前記医療装置の前記モデルを前記描写に取込むステップとをさらに含み、前記モデルは、前記描写内で、識別された前記挿入点に対して位置付けられ、前記方法はさらに、
前記描写内の前記医療装置の前記モデルの軌道に基づいて、前記挿入点、前記医療装置、または双方の適切性を評価するステップを含む、請求項１に記載の方法。
【請求項７】
少なくとも１つのユーザ入力を受信するステップをさらに含み、その少なくとも１つのユーザ入力に応答して、前記方法は、
前記描写において、心房中隔に沿った挿入点を識別するステップと、
前記医療処置の実行中に前記心房中隔を通過する医療装置を表わすモデルを選択するステップと、
前記医療装置の前記モデルを前記描写に取込むステップとをさらに含み、前記モデルは、前記描写内で、識別された前記挿入点に対して位置付けられる、請求項１に記載の方法。
【請求項８】
１つ以上の電子プロセッサによって実行されると、前記１つ以上のプロセッサに方法を実行させる命令が格納された、非一時的コンピュータ読取可能記憶媒体であって、前記方法は、
患者の身体の、対象となる解剖学的領域に関する画像データを取得するステップと、
取得された前記画像データを使用して、前記対象となる解剖学的領域の多次元描写を生成するステップと、
前記多次元描写に対して複数の点を規定するステップであって、前記複数の点の少なくとも１つが前記患者の身体の解剖学的構造の重心に対応するステップと、
規定された前記複数の点に基づいて、１つ以上の測定値を決定するステップと、
決定された前記測定値に基づいて、使用すべき医療装置を選択するステップとを含む、記憶媒体。
【請求項９】
前記医療処置は、前記患者の心臓の左心耳（ＬＡＡ）に関わる処置であり、前記医療装置は、前記患者の心臓の前記ＬＡＡにＬＡＡ閉塞装置を送達するために使用されるカテーテルである、請求項８に記載の記憶媒体。
【請求項１０】
前記複数の点は、
前記ＬＡＡの真の口を含む前記真の口の平面内の点であって、前記ＬＡＡの前記真の口の重心に対応する点、
前記真の口の平面の複製であって前記真の口の平面から偏位している偏位した真の口の平面内の点であって、前記真の口の平面内の点から偏位し、前記ＬＡＡの前記真の口の重心に対応する点、
前記患者の心臓の卵円窩を含む卵円窩平面内の点であって、前記卵円窩の重心に対応する点、または、
前記患者の心臓の下大静脈（ＩＶＣ）口を含むＩＶＣ口の平面内の点であって、前記ＩＶＣ口の重心に対応する点、
という個々の点のうちの２つ以上を含む、請求項９に記載の記憶媒体。
【請求項１１】
前記測定値は、
前記ＩＶＣ口の重心に対応する前記ＩＶＣ口の平面内の前記点と前記卵円窩の重心に対応する前記卵円窩平面内の前記点との間の距離、
前記卵円窩の重心に対応する前記卵円窩平面内の前記点と前記ＬＡＡの前記真の口の重心に対応する前記真の口の平面内の前記点との間の距離、
前記ＩＶＣ口の重心に対応する前記ＩＶＣ口の平面内の前記点と、前記卵円窩の重心に対応する前記卵円窩平面内の前記点と、前記ＬＡＡの前記真の口の重心に対応する前記真の口の平面内の前記点とによって規定される角度であって、前記卵円窩の重心に対応する前記卵円窩平面内の前記点が角度の頂点となる角度、または、
前記卵円窩の重心に対応する前記卵円窩平面内の前記点と、前記ＬＡＡの前記真の口の重心に対応する前記真の口の平面内の前記点と、前記ＬＡＡの前記真の口の重心に対応する前記偏位した真の口の平面内の前記点とによって規定される角度であって、前記ＬＡＡの前記真の口の重心に対応する前記真の口の平面内の前記点が角度の頂点となる角度、
のうちの少なくとも１つを含む、請求項１２に記載の記憶媒体。
【請求項１２】
前記１つ以上のプロセッサによって実行される前記方法は、
前記描写において、心房中隔に沿った挿入点を識別するステップと、
前記医療処置の実行中に前記心房中隔を通過する医療装置を表わすモデルを選択するステップと、
前記医療装置の前記モデルを前記描写に取込むステップとをさらに含み、前記モデルは、前記描写内で、識別された前記挿入点に対して位置付けられ、前記方法はさらに、
前記描写内の前記医療装置の前記モデルの軌道に基づいて、前記挿入点、前記医療装置、または双方の適切性を評価するステップを含む、請求項８に記載の記憶媒体。
【請求項１３】
前記１つ以上のプロセッサによって実行される前記方法は、少なくとも１つのユーザ入力を受信するステップをさらに含み、その少なくとも１つのユーザ入力に応答して、前記方法は、
前記描写において、心房中隔に沿った挿入点を識別するステップと、
前記医療処置の実行中に前記心房中隔を通過する医療装置を表わすモデルを選択するステップと、
前記医療装置の前記モデルを前記描写に取込むステップとをさらに含み、前記モデルは、前記描写内で、識別された前記挿入点に対して位置付けられる、請求項８に記載の記憶媒体。
【請求項１４】
医療処置で使用する医療装置を選択するためのシステムであって、
電子プロセッサと、
前記電子プロセッサに電気的に結合され、命令が格納されている、電子メモリ装置とを含み、
前記プロセッサは、
患者の身体の、対象となる解剖学的領域に関する画像データを取得し、
取得された前記画像データを使用して、前記対象となる解剖学的領域の多次元描写を生成し、
前記多次元描写に対して複数の点を規定し、前記複数の点の少なくとも１つは前記患者の身体の解剖学的構造の重心に対応し、
規定された前記複数の点に基づいて、１つ以上の測定値を決定し、
決定された前記測定値に基づいて、使用すべき医療装置を選択する
よう動作可能であるように、前記メモリ装置にアクセスし、前記メモリ装置に格納された前記命令を実行するように構成されている、システム。
【請求項１５】
前記医療処置は、前記患者の心臓の左心耳（ＬＡＡ）に関わる処置であり、前記医療装置は、前記患者の心臓の前記ＬＡＡにＬＡＡ閉塞装置を送達するために使用されるカテーテルである、請求項１４に記載のシステム。
【請求項１６】
前記複数の点は、
前記ＬＡＡの真の口を含む真の口の平面内の点であって、前記ＬＡＡの前記真の口の重心に対応する点、
前記真の口の平面の複製であって前記真の口の平面から偏位している偏位した真の口の平面内の点であって、前記真の口の平面内の点から偏位し、前記ＬＡＡの前記真の口の重心に対応する点、
前記患者の心臓の卵円窩を含む卵円窩平面内の点であって、前記卵円窩の重心に対応する点、または、
前記患者の心臓の下大静脈（ＩＶＣ）口を含むＩＶＣ口の平面内の点であって、前記ＩＶＣ口の重心に対応する点、
という個々の点のうちの２つ以上を含む、請求項１５に記載のシステム。
【請求項１７】
前記測定値は、
前記ＩＶＣ口の重心に対応する前記ＩＶＣ口の平面内の前記点と前記卵円窩の重心に対応する前記卵円窩平面内の前記点との間の距離、
前記卵円窩の重心に対応する前記卵円窩平面内の前記点と前記ＬＡＡの前記真の口の重心に対応する前記真の口の平面内の前記点との間の距離、
前記ＩＶＣ口の重心に対応する前記ＩＶＣ口の平面内の前記点と、前記卵円窩の重心に対応する前記卵円窩平面内の前記点と、前記ＬＡＡの前記真の口の重心に対応する前記真の口の平面内の前記点とによって規定される角度であって、前記卵円窩の重心に対応する前記卵円窩平面内の前記点が角度の頂点となる角度、または、
前記卵円窩の重心に対応する前記卵円窩平面内の前記点と、前記ＬＡＡの前記真の口の重心に対応する前記真の口の平面内の前記点と、前記ＬＡＡの前記真の口の重心に対応する前記偏位した真の口の平面内の前記点とによって規定される角度であって、前記ＬＡＡの前記真の口の重心に対応する前記真の口の平面内の前記点が角度の頂点となる角度、
のうちの少なくとも１つを含む、請求項１６に記載のシステム。
【請求項１８】
前記測定値は、第１の平面と第２の平面との間の距離をさらに含み、前記第１の平面は、前記患者の心臓の僧帽弁輪を含む平面の複製であって前記平面から偏位しており、かつ、前記ＬＡＡの前記真の口の重心に対応する前記真の口の平面内の前記点と整列されており、前記第２の平面は、前記僧帽弁輪を含む前記平面の複製であって前記平面から偏位しており、かつ、前記卵円窩の重心に対応する前記卵円窩平面内の前記点と整列されている、請求項１７に記載のシステム。
【請求項１９】
前記プロセッサはさらに、
前記描写において、心房中隔に沿った挿入点を識別し、
前記医療処置の実行中に前記心房中隔を通過する医療装置を表わすモデルを選択し、
前記医療装置の前記モデルを前記描写に取込むよう動作可能であり、前記モデルは、前記描写内で、識別された前記挿入点に対して位置付けられ、前記プロセッサはさらに、
前記描写内の前記医療装置の前記モデルの軌道に基づいて、前記挿入点、前記医療装置、または双方の適切性を評価するよう動作可能である、請求項１４に記載のシステム。
【請求項２０】
１つ以上のユーザ入力に応答して、前記プロセッサはさらに、
前記描写において、心房中隔に沿った挿入点を識別し、
前記医療処置の実行中に前記心房中隔を通過する医療装置を表わすモデルを選択し、
前記医療装置の前記モデルを前記描写に取込むよう動作可能であり、前記モデルは、前記描写内で、識別された前記挿入点に対して位置付けられる、請求項１４に記載のシステム。